(57)【要約】【課題】不要な照合処理を予め除外して視聴調査の処理を効率化する。【解決手段】調査対象の再生装置における放送の視聴状況を解析する視聴状況調査システムであって、再生装置が再生している再生信号の特徴量を抽出する特徴量抽出部と、再生信号を送信する機器の種類を判定する機器判定部と、再生信号の特徴量と再生信号を送信する機器の種類を、再生信号の再生日時と対応づけて視聴データとして記録する視聴データ記録部と、各々の視聴データについて、再生信号の特徴量と各放送局によって放送されている放送データの特徴量との照合を行うことにより、再生装置を介して視聴された放送局を特定する視聴調査部と、を備え、視聴調査部が行う視聴調査には、各々の視聴データの再生日時よりも前に放送された放送データの特徴量との照合を行うタイムシフト視聴調査が含まれ、視聴調査部は、再生信号を送信する機器の種類または再生装置の種類に基づいて、タイムシフト視聴調査を行うか否かを決定する。【選択図】図４
2019087855.tif 000002
【特許請求の範囲】
【請求項１】
調査対象の再生装置における放送の視聴状況を解析する視聴状況調査システムであって、
前記再生装置が再生している再生信号の特徴量を抽出する特徴量抽出部と、
前記再生信号を送信する機器の種類を判定する機器判定部と、
前記再生信号の特徴量と前記再生信号を送信する機器の種類を、前記再生信号の再生日時と対応づけて視聴データとして記録する視聴データ記録部と、
各々の視聴データについて、前記再生信号の特徴量と各放送局によって放送されている放送データの特徴量との照合を行うことにより、前記再生装置を介して視聴された放送局を特定する視聴調査部と、を備え、
前記視聴調査部が行う視聴調査には、各々の視聴データの再生日時よりも前に放送された放送データの特徴量との照合を行うタイムシフト視聴調査が含まれ、
前記視聴調査部は、前記再生信号を送信する機器の種類または前記再生装置の種類に基づいて、前記タイムシフト視聴調査を行うか否かを決定する、
視聴状況調査システム。
【請求項２】
前記視聴調査部は、
前記再生信号を送信する機器の種類または前記再生装置の種類が録画機能を有する機器である場合には、前記タイムシフト視聴調査を行い、前記機器の種類または前記再生装置の種類が録画機能の無い機器である場合には前記タイムシフト視聴調査を行わない、請求項１に記載の視聴状況調査システム。
【請求項３】
前記再生信号を送信する機器において録画された録画データの録画日時と放送局の情報を含む録画リストを取得する録画リスト取得部を備え、
前記視聴調査部は、
前記再生信号を送信する機器から前記録画リストが取得することが可能な場合には、前記タイムシフト視聴調査を行う際、取得した録画リストを用いて、前記再生信号の特徴量との照合を行う放送データを絞り込む、請求項２に記載の視聴状況調査システム。
【請求項４】
前記視聴調査部は、
前記再生信号を送信する機器の種類がチューナーの無い装置である場合には、視聴調査を行わない、請求項１から３のいずれか１項に記載の視聴状況調査システム。
【請求項５】
調査対象の再生装置における放送の視聴状況を解析する視聴状況調査装置であって、
前記再生装置が再生している再生信号の再生日時と、前記再生信号の特徴量と、前記再生信号を送信する機器の種類と、を含む視聴データについて、前記再生信号の特徴量と各放送局によって放送されている放送データの特徴量との照合を行うことにより、前記再生装置を介して視聴された放送局を特定する視聴調査部を備え、
前記視聴調査部が行う視聴調査には、各々の視聴データの再生日時よりも前に放送された放送データの特徴量との照合を行うタイムシフト視聴調査が含まれ、
前記視聴調査部は、前記再生信号を送信する機器の種類または前記再生装置の種類に基づいて、前記タイムシフト視聴調査を行うか否かを決定する、
視聴状況調査装置。
【請求項６】
調査対象の再生装置における放送の視聴状況を解析する視聴状況調査方法であって、
前記再生装置が再生している再生信号の特徴量を抽出する工程と、
前記再生信号を送信する機器の種類を判定する工程と、
前記再生信号の特徴量と前記再生信号を送信する機器の種類を、前記再生信号の再生日時と対応づけて視聴データとして記録する工程と、
各々の視聴データについて、前記再生信号の特徴量と各放送局によって放送されている放送データの特徴量との照合を行うことにより、前記再生装置を介して視聴された放送局を特定する工程と、を含み、
前記視聴調査部が行う視聴調査には、各々の視聴データの再生日時よりも前に放送された放送データの特徴量との照合を行うタイムシフト視聴調査が含まれ、
前記放送局を特定する工程では、前記再生信号を送信する機器の種類または前記再生装置の種類に基づいて、前記タイムシフト視聴調査を行うか否かを決定する、視聴状況調査方法。
【発明の詳細な説明】
【技術分野】
【０００１】
本発明は、視聴状況調査システム、視聴状況調査装置、及び視聴状況調査方法に関する。
【背景技術】
【０００２】
近年、ハードディスクなどの大容量の録画装置が普及したことにより、放送と同時の視聴（リアルタイム視聴）だけでなく、録画再生による視聴（タイムシフト視聴）も増えており、タイムシフト視聴状況の調査へのニーズも高くなっている。現状では、まずすべての視聴データについて視聴と同時刻の放送データとの照合（リアルタイム視聴調査）を行い、照合できなかったものすべてについて過去の一定期間の放送データとの照合（タイムシフト視聴調査）を行っている。このようなタイムシフト視聴調査は照合対象の放送データの量が多いため、照合処理の負荷は非常に高くなる。特許文献１には、録画装置の録画リストを利用して、タイムシフト視聴調査における照合対象となるデータを絞り込むことにより、照合処理を効率化することが記載されている。
【先行技術文献】
【特許文献】
【０００３】
【特許文献１】特許第５９６７９９０号公報
【発明の概要】
【発明が解決しようとする課題】
【０００４】
家庭で使用されているコンテンツの再生装置には、録画機能の有るものと無いもの、ゲーム専用機等、様々な種類があり、録画機能の無い機器で再生された視聴データであれば本来タイムシフト視聴調査を行う必要は無いし、ゲーム専用機の場合はそもそも放送されるコンテンツを受信できないので視聴調査を行う必要が無い。しかし、特許文献１などに記載された従来のシステムでは、このような再生装置の種類に基づいて、不要な照合処理を行わないように制御することはしていなかった。
【０００５】
そこで、本発明は、不要な照合処理を予め除外して視聴調査の処理を効率化することを目的とする。
【課題を解決するための手段】
【０００６】
本発明に係る視聴状況調査システムは、調査対象の再生装置における放送の視聴状況を解析する視聴状況調査システムであって、
前記再生装置が再生している再生信号の特徴量を抽出する特徴量抽出部と、
前記再生信号を送信する機器の種類を判定する機器判定部と、
前記再生信号の特徴量と前記再生信号を送信する機器の種類を、前記再生信号の再生日時と対応づけて視聴データとして記録する視聴データ記録部と、
各々の視聴データについて、前記再生信号の特徴量と各放送局によって放送されている放送データの特徴量との照合を行うことにより、前記再生装置を介して視聴された放送局を特定する視聴調査部と、を備え、
前記視聴調査部が行う視聴調査には、各々の視聴データの再生日時よりも前に放送された放送データの特徴量との照合を行うタイムシフト視聴調査が含まれ、
前記視聴調査部は、前記再生信号を送信する機器の種類または前記再生装置の種類に基づいて、前記タイムシフト視聴調査を行うか否かを決定するものである。
【０００７】
本発明に係る視聴状況調査装置は、調査対象の再生装置における放送の視聴状況を解析する視聴状況調査装置であって、
前記再生装置が再生している再生信号の再生日時と、前記再生信号の特徴量と、前記再生信号を送信する機器の種類と、を含む視聴データについて、前記再生信号の特徴量と各放送局によって放送されている放送データの特徴量との照合を行うことにより、前記再生装置を介して視聴された放送局を特定する視聴調査部を備え、
前記視聴調査部が行う視聴調査には、各々の視聴データの再生日時よりも前に放送された放送データの特徴量との照合を行うタイムシフト視聴調査が含まれ、
前記視聴調査部は、前記再生信号を送信する機器の種類または前記再生装置の種類に基づいて、前記タイムシフト視聴調査を行うか否かを決定するものである。
【０００８】
本発明に係る視聴状況調査方法は、調査対象の再生装置における放送の視聴状況を解析する視聴状況調査方法であって、
前記再生装置が再生している再生信号の特徴量を抽出する工程と、
前記再生信号を送信する機器の種類を判定する工程と、
前記再生信号の特徴量と前記再生信号を送信する機器の種類を、前記再生信号の再生日時と対応づけて視聴データとして記録する工程と、
各々の視聴データについて、前記再生信号の特徴量と各放送局によって放送されている放送データの特徴量との照合を行うことにより、前記再生装置を介して視聴された放送局を特定する工程と、を含み、
前記視聴調査部が行う視聴調査には、各々の視聴データの再生日時よりも前に放送された放送データの特徴量との照合を行うタイムシフト視聴調査が含まれ、
前記放送局を特定する工程では、前記再生信号を送信する機器の種類または前記再生装置の種類に基づいて、前記タイムシフト視聴調査を行うか否かを決定するものである。
【発明の効果】
【０００９】
本発明によれば、不要な照合処理を予め除外して視聴調査の処理を効率化することができる。
【図面の簡単な説明】
【００１０】
【図１】本発明の実施の形態による、視聴状況調査システムの構成を示すブロック図。
【図２】本発明の実施の形態による、視聴データ記録装置の構成を示すブロック図。
【図３】本発明の実施の形態による、センターサーバの構成を示すブロック図。
【図４】本発明の実施の形態による、視聴状況調査システムの動作のシーケンス図。
【図５】本発明の実施の形態による、視聴データを例示する図。
【図６】本発明の実施の形態による、放送マスターデータを例示する図。
【図７】本発明の他の実施の形態による、視聴データ記録装置の構成を示すブロック図。
【発明を実施するための形態】
【００１１】
次に、本発明を実施するための形態について、図面を参照して詳細に説明する。
実施の形態１．
図１は、本発明の実施の形態による視聴状況調査システム１の構成を示すブロック図である。図１に示すように、視聴状況調査システム１は、再生装置１０、視聴データ記録装置２０、視聴者登録装置３０、センターサーバ（視聴状況調査装置）４０を含んでいる。再生装置１０、視聴データ記録装置２０、及び視聴者登録装置３０は、各々の調査対象世帯Ｈに設置されている。視聴データ記録装置２０と、再生装置１０および視聴者登録装置３０は、通信回線を介して接続されている。
【００１２】
センターサーバ４０は、視聴状況調査を行う調査センター内に設置される。視聴データ記録装置２０とセンターサーバ４０は、通信ネットワークＮを介して接続されている。通信ネットワークＮは、ブロードバンド回線等の有線又は無線ネットワークを含む。
【００１３】
再生装置１０は、テレビなど、映像画面を表示する機能を有するモニター装置の役割を果たす機器や、インターネットによるウェブサイトを表示するＰＣ（Personal Computer）などである。再生装置１０は録画機能を有していてもよく、テレビと録画装置が一体化されている機器や、テレビに録画用の外付けハードディスクユニットが接続されたもの等を含む。また、外部の録画装置と接続されていてもよい。
【００１４】
視聴データ記録装置２０は、再生装置１０が再生する再生信号を受信し、視聴データを作成して一時保存する。視聴データとは、視聴者が再生装置１０を介して視聴した放送データの特徴量を再生日時と対応させて記録したものであり、詳細は後述する。
【００１５】
図２は、視聴データ記録装置２０の構成を示すブロック図である。図２に示すように、視聴データ記録装置２０は、コントローラ２１と、記憶装置２２を備えている。コントローラ２１は、ハードウェアとして、ＣＰＵ、ＲＯＭやＲＡＭ等のメモリ、入力インタフェース、出力インタフェース、通信インタフェース及びこれらを結ぶバス等を備えている。コントローラ２１は、ＣＰＵがＲＯＭ等に格納されたプログラムを実行することにより各種機能を実現する。コントローラ２１によって実現される機能モジュールには、特徴量抽出部２０１、機器判定部２０２、視聴データ記録部２０３、送受信部２０４が含まれる。記憶装置２２は、ハードディスクドライブ等であり、視聴データ記憶部２１０を備えている。視聴データ記憶部２０４には、視聴データが保持される。
【００１６】
視聴者登録装置３０は、再生装置１０を介して放送を視聴している視聴者自身が操作することにより、視聴者の情報（視聴者コード）を視聴データ記録装置２０に提供するための装置である。視聴者コードは各世帯の構成員に付与されており（例えば、父「１」、母「２」、子「３」、祖母「４」）、例えば視聴者登録装置３０に実装されている各人に対応するボタンを操作することにより、視聴データの各レコードに登録される。なお、視聴者コードに対応して年代や性別（４０代、男性）などの情報を登録し、年代別、性別等の視聴率の算出に利用できるようにしてもよい。
【００１７】
センターサーバ４０は、各調査対象世帯の視聴データ記録装置２０から通信ネットワークＮを介して定期的に視聴データを受信し、視聴状況調査を行う。
【００１８】
図３は、センターサーバ４０の構成を示すブロック図である。図３に示すように、センターサーバ４０は、コントローラ４１と、記憶装置４２を備えている。コントローラ４１は、ハードウェアとして、ＣＰＵ、ＲＯＭやＲＡＭ等のメモリ、入力インタフェース、出力インタフェース、通信インタフェース及びこれらを結ぶバス等を備えている。コントローラ４１は、ＣＰＵがＲＯＭ等に格納されたプログラムを実行することにより各種機能を実現する。コントローラ４１によって実現される機能モジュールには、視聴調査部４０１、放送マスターデータ作成部４０２、調査結果作成部４０３が含まれる。
【００１９】
記憶装置４２は、ハードディスクドライブ等であり、放送マスターデータ記憶部４１０を備えている。放送マスターデータ記憶部４１０には、各放送局が放送した放送データの特徴量が放送日時と対応して記録されている。センターサーバ４０は、各放送局に１対１に対応したチューナーと接続されている。放送マスターデータ作成部４０２は、各放送局に対応したチューナーから放送データ（例えば、オーディオ信号）を取得し、特徴量を抽出して放送マスターデータ記憶部４１０に保存する。放送マスターデータ記憶部４１０に保存されるデータは、例えば各放送局の過去１週間分の２４時間のデータである。
【００２０】
次に、視聴状況調査システム１による視聴状況調査の流れについて図４のシーケンス図を用いて説明する。
まず、視聴データ記録装置２０の特徴量抽出部２０１が、再生装置１０で再生中のコンテンツ（再生信号）の音声を通信回線を介して取得し、音声特徴量を抽出する（ステップＳ１）。音声特徴量は、例えば、再生されているオーディオ信号の音声波形の特徴を電子的に抽出する音声フィンガープリント技術などを用いて抽出することができる。本実施形態では、再生信号の音声特徴量を３秒区間で抽出している。
【００２１】
次に、視聴データ記録装置２０の機器判定部２０２が、再生装置１０で再生中のコンテンツを送信している機器の種類を判定する（ステップＳ２）。機器の種類には「録画機能有り」、「録画機能無し」、「放送外利用」が含まれる。
【００２２】
機器判定部２０２は、事前の調査等によってＨＤＭＩ（High-Definition Multimedia Interface）ポートのような外部ポートと機器との対応関係が判明している場合、コンテンツを再生中の再生装置１０が選択している外部ポートを特定することにより機器の種類を判定することができる。具体的には、ＨＤＭＩポートをＨＤＭＩ−ＣＥＣコマンドを用いて特定することにより機器の種類を判定することができる。例えば、選択しているＨＤＭＩポートがＨＤＭＩ−１の場合、録画機能のない機器（例えばセットトップボックス）からのコンテンツを再生していると判定し、機器の種類は「録画機能有り」と判定する。また、選択しているのがＨＤＭＩ−２の場合には、ゲームソフトを再生するためのゲーム専用機（チューナーの無い装置）からのコンテンツを再生していると判定し、機器の種類は「放送外利用」と判定する。また、選択しているＨＤＭＩポートがＨＤＭＩ−３の場合には、ＤＶＤレコーダーやブルーレイディスクレコーダーなどの録画再生機からのコンテンツを再生していると判定し、機器の種類は「録画機能有り」と判定する。また、外部の機器からの入力ではなく、再生装置１０自身での再生の場合、再生装置１０が録画機能付きの装置であれば「録画機能有り」、録画機能の無い装置であれば、「録画機能無し」と判定する。再生装置１０の種類（録画機能の有無）については事前の調査により登録しておくことができる。
【００２３】
なお、機器の種類の判定方法は、ＨＤＭＩポートの特定に限られず、例えば、再生されているオーディオ信号に、それぞれの機器に特有の特徴が含まれるか否かを解析する方法などでもよい。
【００２４】
次に、視聴データ記録装置２０の視聴データ記録部２０３が、ステップＳ１で抽出した音声特徴量と、ステップＳ２で判定した機器の種類を、再生信号の再生開始日時と対応づけて視聴データ記憶部２１０に記録する（ステップＳ３）。
【００２５】
図５は、視聴データ記録部２０３によって記録される視聴データの例を示す図である。図５に示すように、視聴データの１レコードは、再生装置１０によって再生された日付である「再生日付」、再生を開始した時刻である「再生開始時刻」、視聴者の識別番号である「視聴者コード」、再生装置１０によって再生された信号の特徴を示す「音声特徴量」、再生装置１０に再生信号を送信した機器の種類を示す「機器種別」（「録画機能有り：０１」、「録画機能無し：０２」、「放送外利用：０３」の情報を含む。視聴者コードは、視聴者が視聴者登録装置３０を操作することにより登録される。なお、図５の例では、１レコードは３秒区間毎に作成している。１行目のレコードは、再生装置１０が何も再生していない状態（スイッチがオフの状態）を表している。２〜６行目のレコードは、「録画機能有りの」機器から送信されるコンテンツを再生している状態を表している。
【００２６】
視聴データ記録装置２０の送受信部２０４は、通信ネットワークＮを介して定期的に視聴データをセンターサーバ４０に送信する（ステップＳ４）。
【００２７】
センターサーバ４０の視聴調査部４０１は、視聴データ記録装置２０から視聴データを受信すると、各レコードの「機器種別」に基づいて、当該視聴データに適用する視聴調査のモードを決定する（ステップＳ５）。
【００２８】
視聴調査のモードとしては、下記の第１〜第３の調査モードのいずれかが選択される。
第１の調査モードでは、まず、リアルタイム視聴調査を行い、リアルタイム視聴調査によって視聴された放送局が特定できなかった場合にタイムシフト視聴調査を行う。
【００２９】
リアルタイム視聴調査は、放送中のコンテンツを視聴した場合に適用できる調査方法である。視聴調査部４０１は、視聴データの音声特徴量を放送データ記憶部４１０に記憶されている放送データのうち、当該視聴データの再生開始時刻に放送されていた放送データの音声特徴量と比較し、一致する放送データを探索する。
【００３０】
図６は、放送データ記憶部４１０に記憶されている放送マスターデータの例を示す図である。図６に示すように、放送マスターデータの１レコードには、再生装置１０によって放送された日付である「放送日付」と放送を開始した時刻である「放送開始時刻」をキーとして、各「放送局」の放送内容の「音声特徴量」の情報が含まれている。図６の例では、図５と同様に１レコードは３秒区間毎に作成している。また、音声特徴量は視聴データと同様の方法で算出される。
【００３１】
リアルタイム視聴調査では、視聴調査部４０１は、放送日時（「放送日付」と「放送開始時刻」）が、探索対象の視聴データの再生日時（「再生日付」と「再生開始時刻」）と一致する放送データを照合対象として、各放送局の音声特徴量との比較を行う。比較の結果、一致する音声特徴量が検出された場合には、その音声特徴量に対応する放送局が、視聴された放送局として特定される。
【００３２】
第１の調査モードでは、上記のリアルタイム視聴調査で放送局が特定できなかった場合、すなわち、音声特徴量が一致する放送データが見つからなかった場合には、続けてタイムシフト視聴調査を行う。
【００３３】
タイムシフト視聴調査は、録画したコンテンツを放送終了後に再生して視聴したり、放送中に後追いで再生して視聴した場合に適用できる調査方法である。視聴調査部４０１は、視聴データの音声特徴量を放送データ記憶部４１０に記憶されている放送データのうち、当該視聴データの再生開始時刻よりも前に放送が開始された放送データの音声特徴量と比較し、一致する放送データを探索する。具体的には、放送日時が、探索対象の視聴データの再生日時よりも前の放送データを照合対象として、各放送局の音声特徴量との比較を行う。比較の結果、一致する音声特徴量が検出された場合には、その音声特徴量に対応する放送局が、視聴された放送局として特定される。なお、視聴データが、実際の放送から１週間以上経過した録画の再生である場合には、対象の放送データが放送マスターデータに保存されていないため、タイムシフト視聴調査を行っても音声特徴量が一致する放送データは検出されない。
【００３４】
第２の調査モードでは、リアルタイム視聴調査のみを行い、放送局が特定できたか否かに関わらずタイムシフト視聴調査は行わない。
また、第３の調査モードでは、いずれの視聴調査も行わない。
【００３５】
ステップＳ５において、視聴調査部４０１は、視聴データの「機器種別」が「録画機能有り」の場合には第１の調査モードを適用し、「録画機能無し」の場合には第２の調査モードを適用し、「放送外利用」の場合には、第３の調査モードを適用する。
【００３６】
次に、視聴調査部４０１は、ステップＳ５で決定した調査モードにしたがって、視聴調査を行い、視聴された放送局を特定する（ステップＳ６）。特定された放送局は視聴データの各レコードに紐づけて記録される。
【００３７】
なお、センターサーバ４０の視聴調査部４０１が、視聴データの機器種別に基づいて調査モードを決定する代わりに、視聴データ記録装置２０の機器判定部２０２が、判定した機器種別に基づいて調査モードを決定し、視聴データの各レコードに登録するようにしてもよい。この場合には、センターサーバ４０は、視聴データの各レコードに登録されている調査モードにしたがって、視聴調査を行うことができる。
【００３８】
センターサーバ４０は、調査結果作成部４０３において、定期的に視聴データを集計し、全世帯数（調査対象の再生装置１０の総数）を分母として各放送局の視聴率を算出し、調査結果を作成する（ステップＳ７）。この時、視聴データに記録されている視聴者コードを利用して性別、年代別の集計を行うこともできる。
【００３９】
以上のように、本実施形態によれば、再生装置１０に再生信号を送信している機器の種類を視聴データに対応づけて記録し、センターサーバ４０は、機器の種類に基づいて、適用する視聴調査のモードを決定するようにした。特に、録画機能の無い機器からのコンテンツを再生している場合には、録画したコンテンツを再生している可能性が無いため、リアルタイム視聴調査のみを行い、タイムシフト視聴調査は行わないようにした。また、ゲーム専用機からのコンテンツを再生している場合には、放送されているコンテンツを再生している可能性が無いため、視聴調査は行わないようにした。これにより、照合を行うデータの量を予め絞り込むことができるので、視聴調査の処理を効率化することができる。
【００４０】
また、視聴データとの照合を行う放送データの量を、他のパラメータを用いてさらに絞り込むようにしてもよい。例えば、再生装置１０が受信可能な放送局の情報（各世帯の情報）を各再生装置１０からセンターサーバ４０に送信される視聴データのヘッダに付与しておき、視聴調査部４０１は、ヘッダの情報に基づいて照合対象とする放送局を予め絞り込むようにしてもよい。例えば、放送エリア（地域）情報をヘッダに付与しておくことにより、対象となるローカル局を絞り込むことができる。具体的には、放送エリアが群馬県であれば、ローカル局については群馬県の放送局のみを照合対象とし、他の都道府県のローカル局の放送データとの照合は行わない。
【００４１】
また、再生装置１０のＢＳ放送局の受信可否の情報をヘッダに付与しておき、視聴調査部４０１は、ＢＳ放送局の受信が不可の場合には、ＢＳ放送局の放送データとの照合は行わないようにしてもよい。再生装置１０のＢＳ放送局の受信可否は、視聴データ記録装置２０が判定することができる。また、各世帯において受信可能な有料チャンネル等については、事前に調査して視聴調査部４０１に記録しておくことにより、受信できない放送局については予め照合対象から外すことができる。
【００４２】
実施の形態２．
図７は、他の実施形態による視聴データ記録装置５０の構成を示すブロック図である。図２に示す視聴データ記録装置２０の各構成と対応する構成には同一の符号を付している。図７に示すように、視聴データ記録装置５０のコントローラ５１によって実現される機能モジュールには、視聴データ記録装置２０の各構成に加えて、録画リスト取得部５０１が含まれる。また、記憶装置５２は、ハードディスクドライブ等であり、視聴データ記憶部２１０に加えて、録画リスト記憶部５１０を備えている。録画リスト記憶部５１０には、録画リスト取得部に５０１によって取得される録画リストが保持される。
【００４３】
録画リスト取得部５０１は、再生装置１０と一体化した、または外付けの録画装置において録画されたコンテンツの情報を含む録画リストを、例えばＤＬＮＡ（Digital Living Network Alliance）規格に基づいて録画装置より取得し、録画リスト記憶部５１０に記録する。録画リストの１レコードには、録画日付、録画開始時刻、録画終了時刻、および録画した放送局の情報が含まれる。視聴データ記録装置５０は、センターサーバ４０に視聴データを送信する際、録画リストも併せて送信する。
【００４４】
センターサーバ４０の視聴調査部４０１は、タイムシフト視聴調査を行う際、録画リストを取得できる場合には、取得した録画リストの情報を参照し、放送マスターデータから、録画されている可能性の無い放送データ（録画リストに含まれない録画日時及び放送局の放送データ）を予め除外して照合を行う。
【００４５】
以上のように、録画リストの情報を利用して予め照合を行うデータの量を絞り込むことができるので、視聴調査の処理を効率化することができる。
【００４６】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。また、各処理ステップ間に他のステップを追加してもよい。また、１ステップとして記載されているステップを、複数ステップに分けて実行してもよいし、複数ステップに分けて記載されているものを、１ステップとして把握することもできる。
【００４７】
また、上記の実施形態では、視聴データ記録装置２０，５０において視聴データを作成し、センターサーバ４０において視聴データと放送マスターデータとの照合処理を行うセンターマッチ方式を採用しているが、視聴データ記録装置２０，５０において視聴している放送局の特定を行うローカルマッチ方式に適用することもできる。
【００４８】
ローカルマッチ方式では、視聴データ記録装置２０，５０にチューナーが搭載されている。チューナーは一定時間間隔（例えば３秒）で各放送局を巡回してオーディオ信号を取得し、音声特徴量を抽出して放送マスターデータを作成する。リアルタイム視聴調査では、視聴データ記録装置２０，５０は、抽出された各放送局の音声特徴量と、再生装置１０で再生されているオーディオ信号の音声特徴量を随時比較し、一致した場合は、一致が確認された時刻を当該放送局の再生開始時刻として視聴データに登録する。タイムシフト視聴調査では、放送マスターデータに保持されている各放送局の過去の音声特徴量と、リアルタイムシフト調査で放送局が特定されなかった再生信号の音声特徴量の照合を行う。適用する調査モードの決定方法は、上記のセンターマッチ方式と同様である。視聴データ記録装置２０，５０で作成された視聴データは定期的に集計センターのサーバへ送信され、視聴率の算出に利用される。
【符号の説明】
【００４９】
１…視聴状況調査システム
１０…再生装置
２０，５０…視聴データ記録装置
２１，５１…コントローラ
２２，５２…記憶装置
３０…視聴者登録装置
４０…センターサーバ
４１…コントローラ
４２…記憶装置
２０１…特徴量抽出部
２０２…機器判定部、
２０３…視聴データ記録部
２０４…送受信部
２１０…視聴データ記憶部
４０１…視聴調査部
４０２…放送マスターデータ作成部
４０３…調査結果作成部
４１０…放送マスターデータ記憶部
５０１…録画リスト取得部
５１０…録画リスト記憶部
【図１】
2019087855.tif 000003
【図２】
2019087855.tif 000004
【図３】
2019087855.tif 000005
【図４】
2019087855.tif 000006
【図５】
2019087855.tif 000007
【図６】
2019087855.tif 000008
【図７】
2019087855.tif 000009